(57)【要約】【課題】折りたたみ可能な可搬性に優れた新規な表示装置を提供する。または、継ぎ目のない大きな画面に表示をすることができる新規な表示装置を提供する。【解決手段】可撓性を有する表示パネルと、その一方の端を牽引して収納する空間を含む収納部を備える第１の筐体と、第１の筐体と接続される折りたたみ機構と、折りたたみ機構が接続される第２の筐体と、を含んで構成される。また、表示パネルの他方の端が、折りたたみ機構の開動作に伴い表示パネルを展開することができ、閉動作に伴い収納されるように第２の筐体に接続される構成に想到した。【選択図】図１
2020008881.tif 000002
【特許請求の範囲】
【請求項１】
筐体と、
可撓性を有する表示パネルと、を有し、
前記筐体は、前記表示パネルの一方の端を牽引する牽引機構と、前記牽引機構及び前記表示パネルを収納する空間を含む収納部と、を有する、表示装置。
【請求項２】
請求項１において、
前記筐体は、開口部と、前記開口部に配置された、円柱状のガイドと、を有し、
前記ガイドは、回転自在に可動し、
前記表示装置を展開するとき及び前記表示装置を折りたたむときの各々において、前記ガイドは、回転しながら前記表示パネルの背面と接触する、表示装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、半導体装置、表示装置、発光装置、蓄電装置、それらの駆動方法、
または、それらの製造方法に関する。特に、本発明は、表示装置に関する。
【背景技術】
【０００２】
情報伝達手段に係る社会基盤が充実されている。これにより、多様で潤沢な情報を職場や
自宅だけでなく外出先でも取得または発信できるようになっている。
【０００３】
多くの情報を一覧して表示することができる大きな画面を備える表示装置は、情報端末機
器に好適である。
【０００４】
また、外出先でも情報を取得することができる携帯可能な情報端末機器が盛んに開発され
ている。携帯可能な情報端末機器は屋外で使用されることが多く、落下される等により思
わぬ力が携帯可能な情報端末機器に加わることがある。
【０００５】
外部から加えられた力に耐え、破壊されにくい表示装置の一例としては、発光層を分離す
る構造体と第２の電極層との密着性を高めた構成が知られている（特許文献１）。
【先行技術文献】
【特許文献】
【０００６】
【特許文献１】特開２０１２−１９０７９４号公報
【発明の概要】
【発明が解決しようとする課題】
【０００７】
本発明の一態様は、このような技術的背景のもとでなされたものである。したがって、折
りたたみ可能な可搬性に優れた新規な表示装置を提供することを課題の一とする。または
、継ぎ目のない大きな画面に表示をすることができる新規な表示装置を提供することを課
題の一とする。
【０００８】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００９】
本発明の一態様は、折りたたみ機構と、折りたたみ機構と接続される第１の筐体と、第１
の筐体と重なるように折りたたみ機構と接続される第２の筐体と、第１の筐体に収納され
る可撓性を有する表示パネルと、を有する。
【００１０】
そして、第１の筐体は、表示パネルの一方の端を牽引する牽引機構および表示パネルを収
納する空間を含む収納部並びに収納部と接続される開口部を備え、表示パネルが、開口部
を介して収納部から引き出され、折りたたみ機構の開動作に伴い展開され、且つ閉動作に
伴い収納されるように、表示パネルの他方の端が第２の筐体に接続される、表示装置であ
る。
【００１１】
また、本発明の一態様は、第２の筐体が、表示パネルの他方の端を牽引する牽引機構、表
示パネルを収納する空間を含む収納部並びに収納部と接続される開口部を備える、上記の
表示装置である。
【００１２】
これにより、筐体に対する可撓性の表示パネルの角度を制御しながら折り曲げることがで
きる。また、過剰な応力を表示パネルに加えて破壊してしまう不具合の発生を防止できる
。
【００１３】
その結果、折りたたみ可能な可搬性に優れた新規な表示装置を提供できる。または、継ぎ
目のない大きな画面に表示をすることができる新規な表示装置を提供できる。
【００１４】
また、本発明の一態様は、開口部が、折りたたみ機構側に１ｍｍ以上１０ｍｍ以下の曲率
半径のガイドを備える上記の表示装置である。
【００１５】
これにより、牽引された表示パネルの曲率半径を、ガイドの曲率半径より小さくならない
ように制御することができる。また、過剰な応力を表示パネルに加える現象を防止できる
。
【００１６】
また、本発明の一態様は、第１の筐体が可視光を透過する窓を収納部に収納された表示パ
ネルを観察することができる位置に備える上記の表示装置である。
【００１７】
これにより、折りたたまれた状態の表示装置の収納部に収納された表示パネルの表示領域
を、窓を透して観察することができる。
【００１８】
なお、本明細書中において、表示装置とは画像表示デバイス、を指す。また、表示装置に
コネクター、例えばＦＰＣ（Ｆｌｅｘｉｂｌｅ  ｐｒｉｎｔｅｄ  ｃｉｒｃｕｉｔ）もし
くはＴＣＰ（Ｔａｐｅ  Ｃａｒｒｉｅｒ  Ｐａｃｋａｇｅ）が取り付けられたモジュール
、ＴＣＰの先にプリント配線板が設けられたモジュール、または発光素子が形成された基
板にＣＯＧ（Ｃｈｉｐ  Ｏｎ  Ｇｌａｓｓ）方式によりＩＣ（集積回路）が直接実装され
たモジュールも全て表示装置に含むものとする。
【発明の効果】
【００１９】
本発明の一態様によれば、折りたたみ可能な可搬性に優れた新規な表示装置を提供できる
。または、継ぎ目のない大きな画面に表示をすることができる新規な表示装置を提供でき
る。
【図面の簡単な説明】
【００２０】
【図１】実施の形態に係る表示装置を説明する図。
【図２】実施の形態に係る表示装置の収納部の構成を説明する図。
【図３】実施の形態に表示装置の係る表示パネルの構成を説明する図。
【図４】実施の形態に係る情報処理装置に用いることができるタッチパネルの構成を説明する図。
【図５】実施の形態に係る情報処理装置に用いることができるタッチパネルの構成を説明する図。
【図６】実施の形態に係る情報処理装置に用いることができるタッチパネルの構成を説明する図。
【図７】実施の形態に係る情報処理装置に用いることができるタッチパネルの構成を説明する図。
【発明を実施するための形態】
【００２１】
＜本発明の一態様が解決することができる課題の例＞
表示素子等が可撓性の基板上に設けられた可撓性の表示パネルが知られている。
【００２２】
可撓性の表示パネルを曲げると、圧縮応力または伸張応力が、可撓性の基板に設けられた
表示素子等に加わる。
【００２３】
可撓性の基板が、機能膜や機能素子が破壊されてしまう程度に曲がるとき、可撓性の基板
が表示パネルの機能膜や機能素子を保護できないという課題が生じる。
【００２４】
＜本発明の一態様＞
以下に説明する実施の形態には、筐体を折りたたむときの可撓性の表示パネルの屈曲を、
表示パネルを牽引しながら収納することにより制御する構成に着眼して創作された本発明
の一態様が含まれる。
【００２５】
本発明の一態様の表示装置は、可撓性を有する表示パネルと、その一方の端を牽引して収
納する空間を含む収納部を備える第１の筐体と、第１の筐体と接続される折りたたみ機構
と、折りたたみ機構が接続される第２の筐体と、を含んで構成される。そして、表示パネ
ルの他方の端が、折りたたみ機構の開動作に伴い表示パネルを展開することができるよう
に、また閉動作に伴い収納されるように第２の筐体に接続される。
【００２６】
これにより、筐体に対する可撓性の表示パネルの角度を制御しながら曲げることができ、
過剰な応力を表示パネルに加えて表示パネルを破壊してしまう不具合の発生を防止できる
。
【００２７】
その結果、折りたたみ可能な可搬性に優れた新規な表示装置を提供できる。または、継ぎ
目のない大きな画面に情報等を表示することができる新規な表示装置を提供できる。
【００２８】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００２９】
（実施の形態１）
本実施の形態では、本発明の一態様の表示装置の構成について、図１および図２を参照し
ながら説明する。
【００３０】
図１（Ａ−１）乃至図１（Ｃ−１）は本発明の一態様の表示装置の上面図であり、図１（
Ａ−２）乃至図１（Ｃ−２）は、対応する図１（Ａ−１）乃至図１（Ｃ−１）の側面図で
ある。
【００３１】
図１（Ａ−１）および図１（Ａ−２）は、本発明の一態様の表示装置を展開した状態を説
明する図である。
【００３２】
図１（Ｂ−１）および図１（Ｂ−２）は、本発明の一態様の表示装置を途中まで折りたた
んだ状態を説明する図である。
【００３３】
図１（Ｃ−１）および図１（Ｃ−２）は、本発明の一態様の表示装置を折りたたんだ状態
を説明する図である。
【００３４】
図２は、本発明の一態様の表示装置に適用することができる収納部の構成を説明する模式
図である。
【００３５】
本実施の形態で説明する表示装置５００は、折りたたみ機構５５０と、折りたたみ機構５
５０と接続される第１の筐体５１０Ｌと、折りたたまれたときに第１の筐体５１０Ｌと重
なるように折りたたみ機構５５０と接続される第２の筐体５１０Ｒと、第１の筐体５１０
Ｌに収納される可撓性を有する表示パネル２００と、を有する（図１参照）。なお、表示
パネル２００は、情報等を表示することができる表示領域２０１を備える。
【００３６】
そして、第１の筐体５１０Ｌは、表示パネル２００の一方の端２００Ｌを牽引する牽引機
構５２１Ｌおよび表示パネル２００を収納する空間を含む収納部５２０Ｌ並びに収納部５
２０Ｌと接続される開口部５１５Ｌを備える（図２（Ａ）参照）。
【００３７】
また、表示パネル２００は、開口部５１５Ｌを介して収納部５２０Ｌから引き出される。
そして、表示パネル２００は、折りたたみ機構５５０の開動作に伴い展開され、閉動作に
伴い収納されるように他方の端２００Ｒが第２の筐体５１０Ｒに接続される（図１（Ａ）
乃図１（Ｃ）参照）。
【００３８】
これにより、可撓性の表示パネル２００を、端２００Ｌ側から収納部５２０Ｌに収納でき
る。また、筐体に対する可撓性の表示パネル２００の角度を制御しながら折り曲げること
ができる。また、過剰な応力を表示パネル２００に加えて破壊してしまう不具合を防止で
きる。
【００３９】
また、本実施形態で例示する表示装置５００は、第２の筐体５１０Ｒが、表示パネル２０
０の他方の端２００Ｒを牽引する牽引機構、表示パネル２００を収納する空間を含む収納
部５２０Ｒ並びに収納部５２０Ｒと接続される開口部５１５Ｒを備える（図１および図３
（Ａ）参照）。
【００４０】
これにより、可撓性の表示パネル２００を、端２００Ｌ側から収納部５２０Ｌに、端２０
０Ｒ側から収納部５２０Ｒに収納できる。また、筐体に対する可撓性の表示パネル２００
の角度を制御しながら折り曲げることができる。また、過剰な応力を表示パネル２００に
加えて破壊してしまう不具合を防止できる。
【００４１】
その結果、折りたたみ可能な可搬性に優れた新規な表示装置５００を提供できる。または
、継ぎ目のない大きな画面に表示をすることができる新規な表示装置５００を提供できる
。
【００４２】
また、本実施の形態で例示する表示装置５００は、第１の筐体５１０Ｌが可視光を透過す
る窓５１８Ｌを、収納部５２０Ｌに収納された表示パネル２００を観察することができる
位置に備える（図１（Ｃ）参照）。
【００４３】
これにより、折りたたまれた状態の表示装置５００の収納部５２０Ｌに収納された表示パ
ネル２００の表示領域２０１を、窓５１８Ｌを透して観察することができる。
【００４４】
その結果、折りたたみ可能な可搬性に優れた新規な表示装置５００を提供できる。または
、継ぎ目のない大きな画面に表示をすることができる新規な表示装置５００を提供できる
。または、折りたたまれた状態で情報を閲覧することができる新規な表示装置５００を提
供できる。
【００４５】
以下に、本発明の一態様の表示装置を構成する個々の要素について説明する。
《収納部》
収納部５２０Ｌは、牽引機構５２１Ｌおよび表示パネル２００を収納する空間を有する（
図２（Ａ）参照）。空間は表示パネル２００を収納できる大きさを有していればよく、表
示パネル２００を屈曲した状態、または表示パネル２００を巻いた状態で収納する大きさ
でもよい。
【００４６】
《牽引機構》
牽引機構５２１Ｌは、表示パネル２００の端２００Ｌを牽引する。牽引機構５２１Ｌは、
例えば引っ張りバネ、巻き取り装置等を用いることができる。
【００４７】
例えば、第１の筐体５１０Ｌに一方の端が固定された引っ張りバネを、牽引機構５２１Ｌ
に用いることができる。当該引っ張りバネの他方の端を、表示パネル２００の端２００Ｌ
に接続する。この構成によれば、表示パネル２００を開口部５１５Ｌから引き出す程、引
っ張りバネは引き延ばされる。その結果、引っ張りバネは表示パネル２００を収納部５２
０Ｌの空間に引き戻すように牽引する。
【００４８】
また、牽引機構５２１Ｌが牽引する方向に摺動するスライド５２３Ｌと、スライド５２３
Ｌを案内するレール５２５Ｌを第１の筐体５１０Ｌに設けてもよい。これにより、表示パ
ネル２００を引き出す動作および牽引機構５２１Ｌが表示パネル２００を引き戻す動作が
安定する。
【００４９】
その結果、表示パネル２００が折りたたみ動作中に収納部５２０Ｌ等で折れ曲がってしま
う等の不具合の発生を防止することができる。
【００５０】
《開口部》
開口部５１５Ｌは、第１の筐体５１０Ｌの一の面に設けられ、収納部５２０Ｌの空間と第
１の筐体５１０Ｌの外部を接続する。また、開口部５１５Ｌは、表示パネル２００を収納
部５２０Ｌから引き出すことができる大きさを備える。
【００５１】
開口部５１５Ｌは、曲率半径が１ｍｍ以上１０ｍｍ以下のガイド５１６Ｌを、折りたたみ
機構５５０側の表示パネル２００が接する部分に備える（図２（Ａ）参照）。
【００５２】
これにより、牽引される表示パネル２００の曲率半径を、ガイド５１６Ｌの曲率半径より
小さくならないようにすることができる。その結果、折れ曲がりを防止し、過剰な応力が
表示パネル２００に加わるのを防止できる。
【００５３】
なお、ガイド５１６Ｌに換えて、回転自在に支持された円柱状のガイド５１６Ｌ（２）を
用いることができる（図２（Ｂ）参照）。ガイド５１６Ｌ（２）を回転自在に支持するこ
とにより、ガイド５１６Ｌ（２）が表示パネル２００の背面を擦る摩擦を低減することが
できる。
【００５４】
なお、円柱状のガイド５１６Ｌ（２）の半径が、１ｍｍ以上１０ｍｍ以下であると好まし
い。
【００５５】
《窓》
窓５１８Ｌは可視光を透過する。
【００５６】
窓５１８Ｌは、第１の筐体５１０Ｌが折りたたまれた状態において第２の筐体５１０Ｒに
対向しない面に、表示パネル２００の表示領域２０１を観察できるように設けられる（図
１（Ｃ）参照）。なお、第１の筐体５１０Ｌは、表示パネル２００を側面５１０Ｌ（ａ）
側および側面５１０Ｌ（ｂ）側から観察できる窓５１８Ｌを備える（図２（Ａ）参照）。
【００５７】
これにより、使用者は折りたたまれたままの状態の表示装置５００に情報を表示して、表
示された情報を使用することができる。
【００５８】
《折りたたみ機構》
折りたたみ機構５５０は、第２の筐体５１０Ｒを第１の筐体５１０Ｌに重なるように折り
たたむことができる。例えば、ヒンジまたは可撓性の部材等を折りたたみ機構５５０に適
用することができる。
【００５９】
なお、ラチェット機構又は滑り止め等を折りたたみ機構５５０に、第１の筐体５１０Ｌに
対する第２の筐体５１０Ｒの角度を適宜調整できるように設けてもよい。
【００６０】
《表示パネル》
表示パネル２００は可撓性を有する。表示パネル２００の一方の端２００Ｌは、牽引機構
５２１Ｌと接続され、他方の端２００Ｒは第２の筐体５１０Ｒと接続される。
【００６１】
表示装置５００に適用することができる表示パネル２００の構成は、供給された信号に含
まれる情報を表示することができる表示素子を備える。表示素子としては、例えば、発光
素子、電子インク、液晶素子等を備える。なお、表示パネル２００の一例として、表示素
子に発光素子を用いる構成を、実施の形態２において詳細に説明する。
【００６２】
以下に、本発明の一態様の表示装置５００の使用方法について説明する。
【００６３】
《使用方法１》
第１の筐体５１０Ｌおよび第２の筐体５１０Ｒを、折りたたみ機構５５０から展開する（
図１（Ａ−１）および図１（Ａ−２）参照）。
【００６４】
表示パネル２００の表示領域２０１が、第１の筐体５１０Ｌおよび第２の筐体５１０Ｒに
重なるように広がり、図１（Ａ−２）に示す矢印に向けて画像等を表示する。なお、表示
領域２０１には継ぎ目がないため、違和感が低減された良好な表示をすることができる。
また、可撓性を有する表示パネル２００は牽引機構５２１Ｌが加える張力により平坦な状
態に保持されるため、違和感が低減された良好な表示をすることができる。また、表示領
域２０１の一方が開口部５１５Ｌまで、他方が開口部５１５Ｒまで広がっているため、表
示領域２０１を縁取る部分を少なくできる。
【００６５】
《使用方法２》
第１の筐体５１０Ｌおよび第２の筐体５１０Ｒを、折りたたみ機構５５０から図中の円弧
状の破線の矢印の方向に折り曲げる（図１（Ｂ−１）および図１（Ｂ−２）参照）。
【００６６】
表示パネル２００は、収納部５２０Ｌおよび収納部５２０Ｒに第１の筐体５１０Ｌの開口
部５１５Ｌと第２の筐体５１０Ｒの開口部５１５Ｒの間の縮められた距離に応じて収納さ
れる。また、可撓性を有する表示パネル２００は、開口部５１５Ｌと開口部５１５Ｒの間
に牽引機構５２１Ｌが直線状の破線の矢印の方向に加える張力により張られて広がる。な
お、表示パネル２００は、図１（Ｂ−２）に示す白抜きの矢印に向けて画像等を表示する
。
【００６７】
これにより、例えば表示装置５００を机上に設置したときに、使用者が楽な姿勢で観察す
ることができるように、表示パネルの角度を調整できる。また、使用者は情報等を表示す
る画面の大きさを、表示する情報に合わせて適宜調節することができる。具体的には、横
と縦の比を４：３、１６：９または１６：１０等に調節できる。
【００６８】
《使用方法３》
第１の筐体５１０Ｌおよび第２の筐体５１０Ｒを、折りたたみ機構５５０から折りたたむ
（図１（Ｃ−１）および図１（Ｃ−２）参照）。
【００６９】
第１の筐体５１０Ｌに収納された表示パネル２００の表示領域２０１を、窓５１８Ｌを透
して観察することができる。なお、表示パネル２００の表示領域２０１のうち窓５１８Ｌ
から観察することができる範囲については情報を表示するように駆動し、それ以外の範囲
については情報を表示しないように駆動する。これにより、消費電力を低減することがで
きる。
【００７０】
これにより、折りたたまれた状態の表示装置５００の収納部５２０Ｌに収納された表示パ
ネル２００の表示領域２０１を、窓５１８Ｌを透して使用することができる。
【００７１】
なお、本実施の形態は、本明細書で示す他の実施の形態と適宜組み合わせることができる
。
【００７２】
（実施の形態２）
本実施の形態では、本発明の一態様の表示装置に適用可能な表示パネルの構成について、
図３を参照しながら説明する。
【００７３】
図３（Ａ）は本発明の一態様の表示装置に適用可能な表示パネルの構造を説明する上面図
である。
【００７４】
図３（Ｂ）は図３（Ａ）の切断線Ａ−Ｂおよび切断線Ｃ−Ｄにおける断面図である。
【００７５】
図３（Ｃ）は図３（Ａ）の切断線Ｅ−Ｆにおける断面図である。
【００７６】
＜上面図の説明＞
本実施の形態で例示する表示パネル２００は、一方の端２００Ｌと他方の端２００Ｒを有
する（図３（Ａ）参照）。
【００７７】
また、本実施の形態で例示する表示パネル２００は表示領域２０１を有する。
【００７８】
表示領域２０１には、複数の画素２０２が設けられ、画素２０２には複数の副画素（例え
ば副画素２０２Ｒ）が設けられている。また、副画素には、発光素子および発光素子を駆
動する電力を供給することができる画素回路が設けられている。
【００７９】
画素回路は、選択信号を供給することができる配線およびデータ信号を供給することがで
きる配線と電気的に接続される。
【００８０】
また、表示パネル２００は選択信号を供給することができる走査線駆動回路２０３ｇと、
データ信号を供給することができるデータ線駆動回路２０３ｓを備える。
【００８１】
＜断面図の説明＞
表示パネル２００は、基板２１０および基板２１０に対向する対向基板２７０を有する（
図３（Ｂ）参照）。
【００８２】
基板２１０は、可撓性を有する基板２１０ｂ、意図しない不純物の発光素子への拡散を防
ぐバリア膜２１０ａおよび基板２１０ｂとバリア膜２１０ａを貼り合わせる接着層２１０
ｃの積層体である。
【００８３】
対向基板２７０は、可撓性を有する基板２７０ｂ、意図しない不純物の発光素子への拡散
を防ぐバリア膜２７０ａおよび基板２７０ｂとバリア膜２７０ａを貼り合わせる接着層２
７０ｃの積層体である。
【００８４】
また、光学接合層を兼ねる封止材２６０は対向基板２７０と基板２１０を貼り合わせてい
る。また、画素回路および発光素子（例えば第１の発光素子２５０Ｒ）は基板２１０と対
向基板２７０の間にある。
【００８５】
《画素の構成》
画素２０２は、副画素２０２Ｒ、副画素２０２Ｇおよび副画素２０２Ｂを有する（図３（
Ｃ）参照）。また、副画素２０２Ｒは発光モジュール２８０Ｒを備え、副画素２０２Ｇは
発光モジュール２８０Ｇを備え、副画素２０２Ｂは発光モジュール２８０Ｂを備える。
【００８６】
例えば副画素２０２Ｒは、第１の発光素子２５０Ｒおよび第１の発光素子２５０Ｒに電力
を供給することができるトランジスタ２０２ｔを含む画素回路を備える（図３（Ｂ）参照
）。また、副画素２０２Ｒは発光モジュール２８０Ｒを備え、発光モジュール２８０Ｒは
第１の発光素子２５０Ｒおよび光学素子（例えば第１の着色層２６７Ｒ）を備える。
【００８７】
第１の発光素子２５０Ｒは、第１の下部電極２５１Ｒ、上部電極２５２、第１の下部電極
２５１Ｒと上部電極２５２の間に発光性の有機化合物を含む層２５３を有する。
【００８８】
発光性の有機化合物を含む層２５３は、発光ユニット２５３ａ、発光ユニット２５３ｂお
よび発光ユニット２５３ａと発光ユニット２５３ｂの間に中間層２５４を備える。
【００８９】
発光モジュール２８０Ｒは、第１の着色層２６７Ｒを対向基板２７０に有する。着色層は
特定の波長を有する光を透過するものであればよく、例えば赤色、緑色または青色等を呈
する光を選択的に透過するものを用いることができる。なお、発光素子の発する光をその
まま透過する領域を設けてもよい。
【００９０】
例えば、発光モジュール２８０Ｒは、第１の発光素子２５０Ｒと第１の着色層２６７Ｒに
接して、光学接合層を兼ねる封止材２６０を有する。
【００９１】
第１の着色層２６７Ｒは第１の発光素子２５０Ｒと重なる位置にある。これにより、第１
の発光素子２５０Ｒが発する光の一部は、光学接合層を兼ねる封止材２６０および第１の
着色層２６７Ｒを透過して、図中の矢印に示すように発光モジュール２８０Ｒの外部に射
出される。
【００９２】
《表示パネルの構成》
表示パネル２００は、遮光層２６７ＢＭを対向基板２７０に有する。遮光層２６７ＢＭは
、着色層（例えば第１の着色層２６７Ｒ）を囲むように設けられている。
【００９３】
表示パネル２００は、反射防止層２６７ｐを表示領域２０１に重なる位置に備える。
【００９４】
表示パネル２００は、絶縁膜２２１を備える。絶縁膜２２１はトランジスタ２０２ｔを覆
っている。なお、絶縁膜２２１は画素回路に起因する凹凸を平坦化するための層として用
いることができる。また、不純物のトランジスタ２０２ｔ等への拡散を抑制することがで
きる層が積層された絶縁膜を、絶縁膜２２１に適用することができる。
【００９５】
表示パネル２００は、発光素子（例えば第１の発光素子２５０Ｒ）を絶縁膜２２１上に有
する。
【００９６】
表示パネル２００は、絶縁膜２２１上に第１の下部電極２５１Ｒの端部に重なる隔壁２２
８を有する（図３（Ｃ）参照）。また、基板２１０と対向基板２７０の間隔を制御するス
ペーサ２２９が、隔壁２２８上に設けられている。
【００９７】
《データ線駆動回路の構成》
データ線駆動回路２０３ｓは、トランジスタ２０３ｔおよび容量２０３ｃを含む。なお、
駆動回路を画素回路と同一基板上に、画素回路と同一の工程で形成することができる。
【００９８】
《他の構成》
表示パネル２００は、信号を供給することができる配線２１１を備え、端子２１９が配線
２１１に設けられている。なお、データ信号および同期信号等の信号を供給することがで
きるＦＰＣ（フレキシブルプリントサーキット）２０９が端子２１９に電気的に接続され
ている。
【００９９】
なお、ＦＰＣにはプリント配線基板（ＰＷＢ）が取り付けられていても良い。本明細書に
おける発光装置には、発光装置本体だけでなく、それにＦＰＣまたはＰＷＢが取り付けら
れた状態をも含むものとする。
【０１００】
なお、本実施の形態は、本明細書で示す他の実施の形態と適宜組み合わせることができる
。
【０１０１】
（実施の形態３）
本実施の形態では、本発明の一態様の表示装置に適用可能な表示部および位置情報入力部
に適用することができる折り曲げ可能なタッチパネルの構成について、図４を参照しなが
ら説明する。
【０１０２】
図４は本発明の一態様の情報処理装置に適用可能なタッチパネルの構造を説明する図であ
る。
【０１０３】
図４（Ａ）は上面図であり、図４（Ｂ）は図４（Ａ）の切断線Ａ−Ｂおよび切断線Ｃ−Ｄ
における断面図である。
【０１０４】
図４（Ｃ）は図４（Ａ）の切断線Ｅ−Ｆにおける断面図である。
【０１０５】
＜上面図の説明＞
本実施の形態で例示するタッチパネル３００は表示部３０１を有する（図４（Ａ）参照）
。
【０１０６】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０１０７】
画素３０２は、複数の副画素（例えば副画素３０２Ｒ）を備え、副画素は発光素子および
発光素子を駆動する電力を供給することができる画素回路を備える。
【０１０８】
画素回路は、選択信号を供給することができる配線および画像信号を供給することができ
る配線と、電気的に接続される。
【０１０９】
また、タッチパネル３００は選択信号を画素３０２に供給することができる走査線駆動回
路３０３ｇ（１）と、画像信号を画素３０２に供給することができる画像信号線駆動回路
３０３ｓ（１）を備える。
【０１１０】
撮像画素３０８は、光電変換素子および光電変換素子を駆動する撮像画素回路を備える。
【０１１１】
撮像画素回路は、制御信号を供給することができる配線および電源電位を供給することが
できる配線と電気的に接続される。
【０１１２】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０１１３】
タッチパネル３００は制御信号を撮像画素３０８に供給することができる撮像画素駆動回
路３０３ｇ（２）と、撮像信号を読み出す撮像信号線駆動回路３０３ｓ（２）を備える。
【０１１４】
＜断面図の説明＞
タッチパネル３００は、基板３１０および基板３１０に対向する対向基板３７０を有する
（図４（Ｂ）参照）。
【０１１５】
基板３１０および対向基板３７０に可撓性を有する材料を適用することにより、可撓性を
タッチパネル３００に付与することができる。
【０１１６】
なお、可撓性を有するタッチパネル３００を変形すると、タッチパネル３００に設けられ
た機能素子は応力を受ける。機能素子を基板３１０と対向基板３７０のおよそ中央に配置
すると機能素子の変形を抑制することができ好ましい。
【０１１７】
また、線膨張率がおよそ等しい材料を基板３１０および対向基板３７０に用いると好まし
い。例えば、材料の線膨張率が１×１０−３／Ｋ以下、好ましくは５×１０−５／Ｋ以下
、より好ましくは１×１０−５／Ｋ以下であるとよい。
【０１１８】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂含む材料を基板３１０および対向基板３７０に用いることができる。
【０１１９】
基板３１０は、可撓性を有する基板３１０ｂ、意図しない不純物の発光素子への拡散を防
ぐバリア膜３１０ａおよび基板３１０ｂとバリア膜３１０ａを貼り合わせる樹脂層３１０
ｃが積層された積層体である。
【０１２０】
対向基板３７０は、可撓性を有する基材３７０ｂ、意図しない不純物の発光素子への拡散
を防ぐバリア膜３７０ａおよび基材３７０ｂとバリア膜３７０ａを貼り合わせる樹脂層３
７０ｃの積層体である（図４（Ｂ）参照）。
【０１２１】
封止材３６０は対向基板３７０と基板３１０を貼り合わせている。また、封止材３６０は
空気より大きい屈折率を備え、光学接合層を兼ねる。画素回路および発光素子（例えば第
１の発光素子３５０Ｒ）は基板３１０と対向基板３７０の間にある。
【０１２２】
《画素の構成》
画素３０２は、副画素３０２Ｒ、副画素３０２Ｇおよび副画素３０２Ｂを有する（図４（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【０１２３】
例えば副画素３０２Ｒは、第１の発光素子３５０Ｒおよび第１の発光素子３５０Ｒに電力
を供給することができるトランジスタ３０２ｔを含む画素回路を備える（図４（Ｂ）参照
）。また、発光モジュール３８０Ｒは第１の発光素子３５０Ｒおよび光学素子（例えば第
１の着色層３６７Ｒ）を備える。
【０１２４】
第１の発光素子３５０Ｒは、第１の下部電極３５１Ｒ、上部電極３５２、第１の下部電極
３５１Ｒと上部電極３５２の間に発光性の有機化合物を含む層３５３を有する（図４（Ｃ
）参照）。
【０１２５】
発光性の有機化合物を含む層３５３は、発光ユニット３５３ａ、発光ユニット３５３ｂお
よび発光ユニット３５３ａと発光ユニット３５３ｂの間に中間層３５４を備える。
【０１２６】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。なお、発光素子の発する光をその
まま透過する領域を設けてもよい。
【０１２７】
例えば、発光モジュール３８０Ｒは、第１の発光素子３５０Ｒと第１の着色層３６７Ｒに
接する封止材３６０を有する。
【０１２８】
第１の着色層３６７Ｒは第１の発光素子３５０Ｒと重なる位置にある。これにより、第１
の発光素子３５０Ｒが発する光の一部は、光学接合層を兼ねる封止材３６０および第１の
着色層３６７Ｒを透過して、図中の矢印に示すように発光モジュール３８０Ｒの外部に射
出される。
【０１２９】
《タッチパネルの構成》
タッチパネル３００は、遮光層３６７ＢＭを対向基板３７０に有する。遮光層３６７ＢＭ
は、着色層（例えば第１の着色層３６７Ｒ）を囲むように設けられている。
【０１３０】
タッチパネル３００は、反射防止層３６７ｐを表示部３０１に重なる位置に備える。反射
防止層３６７ｐとして、例えば円偏光板を用いることができる。
【０１３１】
タッチパネル３００は、絶縁膜３２１を備える。絶縁膜３２１はトランジスタ３０２ｔを
覆っている。なお、絶縁膜３２１は画素回路に起因する凹凸を平坦化するための層として
用いることができる。また、不純物のトランジスタ３０２ｔ等への拡散を抑制することが
できる層が積層された絶縁膜を、絶縁膜３２１に適用することができる。
【０１３２】
タッチパネル３００は、発光素子（例えば第１の発光素子３５０Ｒ）を絶縁膜３２１上に
有する。
【０１３３】
タッチパネル３００は、第１の下部電極３５１Ｒの端部に重なる隔壁３２８を絶縁膜３２
１上に有する（図４（Ｃ）参照）。また、基板３１０と対向基板３７０の間隔を制御する
スペーサ３２９を、隔壁３２８上に有する。
【０１３４】
《画像信号線駆動回路の構成》
画像信号線駆動回路３０３ｓ（１）は、トランジスタ３０３ｔおよび容量３０３ｃを含む
。なお、駆動回路は画素回路と同一の工程で同一基板上に形成することができる。
【０１３５】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０１３６】
例えばｐｉｎ型のフォトダイオードを光電変換素子３０８ｐに用いることができる。
【０１３７】
《他の構成》
タッチパネル３００は、信号を供給することができる配線３１１を備え、端子３１９が配
線３１１に設けられている。なお、画像信号および同期信号等の信号を供給することがで
きるＦＰＣ３０９（１）が端子３１９に電気的に接続されている。
【０１３８】
なお、ＦＰＣ３０９（１）にはプリント配線基板（ＰＷＢ）が取り付けられていても良い
。
【０１３９】
同一の工程で形成されたトランジスタを、トランジスタ３０２ｔ、トランジスタ３０３ｔ
、トランジスタ３０８ｔ等のトランジスタに適用できる。
【０１４０】
ボトムゲート型、トップゲート型等の構造を有するトランジスタを適用できる。
【０１４１】
様々な半導体をトランジスタに適用できる。例えば、酸化物半導体、単結晶シリコン、ポ
リシリコンまたはアモルファスシリコンなどを適用できる。
【０１４２】
なお、本実施の形態は、本明細書で示す他の実施の形態と適宜組み合わせることができる
。
【０１４３】
（実施の形態４）
本実施の形態では、本発明の一態様の表示装置に適用可能な折り曲げ可能なタッチパネル
の構成について、図５及び図６を参照しながら説明する。
【０１４４】
図５は本発明の一態様のタッチパネルの代表的な構成要素を説明する斜視図である。図５
（Ａ）は、タッチパネル４００の斜視図であり、図５（Ｂ）は、タッチパネル４００の分
離された状態の各構成の斜視図である。
【０１４５】
図６は、図５（Ａ）に示すタッチパネル４００のＸ１−Ｘ２における断面図である。
【０１４６】
タッチパネル４００は、表示部４０１とタッチセンサ４９５を備える（図５（Ｂ）参照）
。また、タッチパネル４００は、基板４１０、基板４７０および基板４９０を有する。な
お、基板４１０、基板４７０および基板４９０はいずれも可撓性を有する。
【０１４７】
表示部４０１は、基板４１０、基板４１０上に複数の画素および当該画素に信号を供給す
ることができる複数の配線４１１を備える。複数の配線４１１は、基板４１０の外周部に
まで引き回され、その一部が端子４１９を構成している。端子４１９はＦＰＣ４０９（１
）と電気的に接続する。
【０１４８】
＜タッチセンサ＞
基板４９０には、タッチセンサ４９５と、タッチセンサ４９５と電気的に接続する複数の
配線４９８を備える。複数の配線４９８は基板４９０の外周部に引き回され、その一部は
端子を構成する。そして、当該端子はＦＰＣ４０９（２）と電気的に接続される。なお、
図５（Ｂ）では明瞭化のため、基板４９０の裏面側（紙面奥側）に設けられるタッチセン
サ４９５の電極や配線等を実線で示している。
【０１４９】
タッチセンサ４９５として、例えば静電容量方式のタッチセンサを適用できる。静電容量
方式としては、表面型静電容量方式、投影型静電容量方式等がある。
【０１５０】
投影型静電容量方式としては、主に駆動方式の違いから自己容量方式、相互容量方式など
がある。相互容量方式を用いると同時多点検出が可能となるため好ましい。
【０１５１】
以下では、投影型静電容量方式のタッチセンサを適用する場合について、図５（Ｂ）を用
いて説明する。
【０１５２】
なお、指等の検知対象の近接または接触を検知することができるさまざまなセンサを適用
することができる。
【０１５３】
投影型静電容量方式のタッチセンサ４９５は、電極４９１と電極４９２を有する。電極４
９１は複数の配線４９８のいずれかと電気的に接続し、電極４９２は複数の配線４９８の
他のいずれかと電気的に接続する。
【０１５４】
電極４９２は、図５（Ａ）、（Ｂ）に示すように、一方向に繰り返し配置された複数の四
辺形が角部で接続された形状を有する。
【０１５５】
電極４９１は四辺形であり、電極４９２が延在する方向と交差する方向に繰り返し配置さ
れている。
【０１５６】
配線４９４は、電極４９２を挟む二つの電極４９１を電気的に接続する。このとき、電極
４９２と配線４９４の交差部の面積ができるだけ小さくなる形状が好ましい。これにより
、電極が設けられていない領域の面積を低減でき、透過率のムラを低減できる。その結果
、タッチセンサ４９５を透過する光の輝度ムラを低減することができる。
【０１５７】
なお、電極４９１、電極４９２の形状はこれに限られず、様々な形状を取りうる。例えば
、複数の電極４９１をできるだけ隙間が生じないように配置し、絶縁層を介して電極４９
２を、電極４９１と重ならない領域ができるように離間して複数設ける構成としてもよい
。このとき、隣接する２つの電極４９２の間に、これらとは電気的に絶縁されたダミー電
極を設けると、透過率の異なる領域の面積を低減できるため好ましい。
【０１５８】
タッチセンサ４９５の構成を、図６を用いて説明する。
【０１５９】
タッチセンサ４９５は、基板４９０、基板４９０上に千鳥状に配置された電極４９１及び
電極４９２、電極４９１及び電極４９２を覆う絶縁層４９３並びに隣り合う電極４９１を
電気的に接続する配線４９４を備える。
【０１６０】
樹脂層４９７は、タッチセンサ４９５が表示部４０１に重なるように、基板４９０を基板
４７０に貼り合わせている。
【０１６１】
電極４９１及び電極４９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。なお
、グラフェンを含む膜を用いることもできる。グラフェンを含む膜は、例えば膜状に形成
された酸化グラフェンを含む膜を還元して形成することができる。還元する方法としては
、熱を加える方法等を挙げることができる。
【０１６２】
透光性を有する導電性材料を基板４９０上にスパッタリング法により成膜した後、フォト
リソグラフィ法等の様々なパターニング技術により、不要な部分を除去して、電極４９１
及び電極４９２を形成することができる。
【０１６３】
また、絶縁層４９３に用いる材料としては、例えば、アクリル、エポキシなどの樹脂、シ
ロキサン結合を有する樹脂の他、酸化シリコン、酸化窒化シリコン、酸化アルミニウムな
どの無機絶縁材料を用いることもできる。
【０１６４】
また、電極４９１に達する開口が絶縁層４９３に設けられ、配線４９４が隣接する電極４
９１を電気的に接続する。透光性の導電性材料は、タッチパネルの開口率を高めることが
できるため、配線４９４に好適に用いることができる。また、電極４９１及び電極４９２
より導電性の高い材料は、電気抵抗を低減できるため配線４９４に好適に用いることがで
きる。
【０１６５】
一の電極４９２は一方向に延在し、複数の電極４９２がストライプ状に設けられている。
【０１６６】
配線４９４は電極４９２と交差して設けられている。
【０１６７】
一対の電極４９１が一の電極４９２を挟んで設けられ、配線４９４は一対の電極４９１を
電気的に接続している。
【０１６８】
なお、複数の電極４９１は、一の電極４９２と必ずしも直交する方向に配置される必要は
なく、９０度未満の角度をなすように配置されてもよい。
【０１６９】
一の配線４９８は、電極４９１又は電極４９２と電気的に接続される。配線４９８の一部
は、端子として機能する。配線４９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０１７０】
なお、絶縁層４９３及び配線４９４を覆う絶縁層を設けて、タッチセンサ４９５を保護す
ることができる。
【０１７１】
また、接続層４９９は、配線４９８とＦＰＣ４０９（２）を電気的に接続する。
【０１７２】
接続層４９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０１７３】
樹脂層４９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０１７４】
＜表示部＞
表示部４０１は、マトリクス状に配置された複数の画素を備える。画素は表示素子と表示
素子を駆動する画素回路を備える。
【０１７５】
本実施の形態では、白色の光を射出する有機エレクトロルミネッセンス素子を表示素子に
適用する場合について説明するが、表示素子はこれに限られない。
【０１７６】
例えば、副画素毎に射出する光の色が異なるように、発光色が異なる有機エレクトロルミ
ネッセンス素子を副画素毎に適用してもよい。
【０１７７】
また、有機エレクトロルミネッセンス素子の他、電気泳動方式や電子粉流体方式やエレク
トロウェッティング方式などにより表示を行う表示素子（電子インクともいう）、シャッ
ター方式のＭＥＭＳ表示素子、光干渉方式のＭＥＭＳ表示素子、液晶素子など、様々な表
示素子を表示素子に用いることができる。また、透過型液晶ディスプレイ、半透過型液晶
ディスプレイ、反射型液晶ディスプレイ、直視型液晶ディスプレイなどにも適用できる。
なお、半透過型液晶ディスプレイや反射型液晶ディスプレイを実現する場合には、画素電
極の一部、または、全部が、反射電極としての機能を有するようにすればよい。例えば、
画素電極の一部、または、全部が、アルミニウム、銀、などを有するようにすればよい。
さらに、その場合、反射電極の下に、ＳＲＡＭなどの記憶回路を設けることも可能である
。これにより、さらに、消費電力を低減することができる。また、適用する表示素子に好
適な構成を様々な画素回路から選択して用いることができる。
【０１７８】
また、表示部において、画素に能動素子を有するアクティブマトリクス方式、または、画
素に能動素子を有しないパッシブマトリクス方式を用いることが出来る。
【０１７９】
アクティブマトリクス方式では、能動素子（アクティブ素子、非線形素子）として、トラ
ンジスタだけでなく、さまざまな能動素子（アクティブ素子、非線形素子）を用いること
が出来る。例えば、ＭＩＭ（Ｍｅｔａｌ  Ｉｎｓｕｌａｔｏｒ  Ｍｅｔａｌ）、又はＴＦ
Ｄ（Ｔｈｉｎ  Ｆｉｌｍ  Ｄｉｏｄｅ）などを用いることも可能である。これらの素子は
、製造工程が少ないため、製造コストの低減、又は歩留まりの向上を図ることができる。
または、これらの素子は、素子のサイズが小さいため、開口率を向上させることができ、
低消費電力化や高輝度化をはかることが出来る。
【０１８０】
アクティブマトリクス方式以外のものとして、能動素子（アクティブ素子、非線形素子）
を用いないパッシブマトリクス型を用いることも可能である。能動素子（アクティブ素子
、非線形素子）を用いないため、製造工程が少ないため、製造コストの低減、又は歩留ま
りの向上を図ることができる。または、能動素子（アクティブ素子、非線形素子）を用い
ないため、開口率を向上させることができ、低消費電力化、又は高輝度化などを図ること
が出来る。
【０１８１】
可撓性を有する材料を基板４１０および基板４７０に好適に用いることができる。
【０１８２】
意図しない不純物の透過が抑制された材料を基板４１０および基板４７０に好適に用いる
ことができる。例えば、水蒸気の透過率が１０−５ｇ／ｍ２・ｄａｙ以下、好ましくは１
０−６ｇ／ｍ２・ｄａｙ以下である材料を好適に用いることができる。
【０１８３】
線膨張率がおよそ等しい材料を基板４１０および基板４７０に好適に用いることができる
。例えば、線膨張率が１×１０−３／Ｋ以下、好ましくは５×１０−５／Ｋ以下、より好
ましくは１×１０−５／Ｋ以下である材料を好適に用いることができる。
【０１８４】
基板４１０は、可撓性を有する基板４１０ｂ、意図しない不純物の発光素子への拡散を防
ぐバリア膜４１０ａおよび基板４１０ｂとバリア膜４１０ａを貼り合わせる樹脂層４１０
ｃが積層された積層体である。
【０１８５】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂含む材料を樹脂層４１０ｃに用いることができる。
【０１８６】
基板４７０は、可撓性を有する基板４７０ｂ、意図しない不純物の発光素子への拡散を防
ぐバリア膜４７０ａおよび基板４７０ｂとバリア膜４７０ａを貼り合わせる樹脂層４７０
ｃの積層体である。
【０１８７】
封止材４６０は基板４７０と基板４１０を貼り合わせている。封止材４６０は空気より大
きい屈折率を備える。また、封止材４６０側に光を取り出す場合は、封止材４６０は光学
接合層を兼ねる。画素回路および発光素子（例えば第１の発光素子４５０Ｒ）は基板４１
０と基板４７０の間にある。
【０１８８】
《画素の構成》
画素は、副画素４０２Ｒを含み、副画素４０２Ｒは発光モジュール４８０Ｒを備える。
【０１８９】
副画素４０２Ｒは、第１の発光素子４５０Ｒおよび第１の発光素子４５０Ｒに電力を供給
することができるトランジスタ４０２ｔを含む画素回路を備える。また、発光モジュール
４８０Ｒは第１の発光素子４５０Ｒおよび光学素子（例えば第１の着色層４６７Ｒ）を備
える。
【０１９０】
第１の発光素子４５０Ｒは、下部電極、上部電極、下部電極と上部電極の間に発光性の有
機化合物を含む層を有する。
【０１９１】
発光モジュール４８０Ｒは、光を取り出す方向に第１の着色層４６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０１９２】
また、封止材４６０が光を取り出す側に設けられている場合、封止材４６０は、第１の発
光素子４５０Ｒと第１の着色層４６７Ｒに接する。
【０１９３】
第１の着色層４６７Ｒは第１の発光素子４５０Ｒと重なる位置にある。これにより、第１
の発光素子４５０Ｒが発する光の一部は第１の着色層４６７Ｒを透過して、図中に示す矢
印の方向の発光モジュール４８０Ｒの外部に射出される。
【０１９４】
《表示部の構成》
表示部４０１は、光を射出する方向に遮光層４６７ＢＭを有する。遮光層４６７ＢＭは、
着色層（例えば第１の着色層４６７Ｒ）を囲むように設けられている。
【０１９５】
表示部４０１は、反射防止層４６７ｐを画素に重なる位置に備える。反射防止層４６７ｐ
として、例えば円偏光板を用いることができる。
【０１９６】
表示部４０１は、絶縁膜４２１を備える。絶縁膜４２１はトランジスタ４０２ｔを覆って
いる。なお、絶縁膜４２１は画素回路に起因する凹凸を平坦化するための層として用いる
ことができる。また、不純物の拡散を抑制できる層を含む積層膜を、絶縁膜４２１に適用
することができる。これにより、予期せぬ不純物の拡散によるトランジスタ４０２ｔ等の
信頼性の低下を抑制できる。
【０１９７】
表示部４０１は、発光素子（例えば第１の発光素子４５０Ｒ）を絶縁膜４２１上に有する
。
【０１９８】
表示部４０１は、下部電極の端部に重なる隔壁４２８を絶縁膜４２１上に有する。また、
基板４１０と基板４７０の間隔を制御するスペーサを、隔壁４２８上に有する。
【０１９９】
《走査線駆動回路の構成》
走査線駆動回路４０３ｇ（１）は、トランジスタ４０３ｔおよび容量４０３ｃを含む。な
お、駆動回路を画素回路と同一の工程で同一基板上に形成することができる。
【０２００】
《他の構成》
表示部４０１は、信号を供給することができる配線４１１を備え、端子４１９が配線４１
１に設けられている。なお、画像信号および同期信号等の信号を供給することができるＦ
ＰＣ４０９（１）が端子４１９に電気的に接続されている。
【０２０１】
なお、ＦＰＣ４０９（１）にはプリント配線基板（ＰＷＢ）が取り付けられていても良い
。
【０２０２】
表示部４０１は、走査線、信号線および電源線等の配線を有する。様々導電膜を配線に用
いることができる。
【０２０３】
具体的には、アルミニウム、クロム、銅、タンタル、チタン、モリブデン、タングステン
、ニッケル、イットリウム、ジルコニウム、銀またはマンガンから選ばれた金属元素、上
述した金属元素を成分とする合金または上述した金属元素を組み合わせた合金等を用いる
ことができる。とくに、アルミニウム、クロム、銅、タンタル、チタン、モリブデン、タ
ングステンの中から選択される一以上の元素を含むと好ましい。特に、銅とマンガンの合
金がウエットエッチング法を用いた微細加工に好適である。
【０２０４】
具体的には、アルミニウム膜上にチタン膜を積層する二層構造、窒化チタン膜上にチタン
膜を積層する二層構造、窒化チタン膜上にタングステン膜を積層する二層構造、窒化タン
タル膜または窒化タングステン膜上にタングステン膜を積層する二層構造、チタン膜と、
そのチタン膜上にアルミニウム膜を積層し、さらにその上にチタン膜を形成する三層構造
等を用いることができる。
【０２０５】
具体的には、アルミニウム膜上にチタン、タンタル、タングステン、モリブデン、クロム
、ネオジム、スカンジウムから選ばれた元素の膜、または複数組み合わせた合金膜、もし
くは窒化膜を積層する積層構造を用いることができる。
【０２０６】
また、酸化インジウム、酸化錫または酸化亜鉛を含む透光性を有する導電材料を用いても
よい。
【０２０７】
＜表示部の変形例１＞
様々なトランジスタを表示部４０１に適用できる。
【０２０８】
ボトムゲート型のトランジスタを表示部４０１に適用する場合の構成を、図６（Ａ）およ
び図６（Ｂ）に図示する。
【０２０９】
例えば、酸化物半導体、アモルファスシリコン等を含む半導体層を、図６（Ａ）に図示す
るトランジスタ４０２ｔおよびトランジスタ４０３ｔに適用することができる。
【０２１０】
例えば、少なくともインジウム（Ｉｎ）、亜鉛（Ｚｎ）及びＭ（Ａｌ、Ｇａ、Ｇｅ、Ｙ、
Ｚｒ、Ｓｎ、Ｌａ、ＣｅまたはＨｆ等の金属）を含むＩｎ−Ｍ−Ｚｎ酸化物で表記される
膜を含むことが好ましい。または、ＩｎとＺｎの双方を含むことが好ましい。
【０２１１】
スタビライザーとしては、ガリウム（Ｇａ）、スズ（Ｓｎ）、ハフニウム（Ｈｆ）、アル
ミニウム（Ａｌ）、またはジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）等がある
。
【０２１２】
酸化物半導体膜を構成する酸化物半導体として、例えば、Ｉｎ−Ｇａ−Ｚｎ系酸化物、Ｉ
ｎ−Ａｌ−Ｚｎ系酸化物、Ｉｎ−Ｓｎ−Ｚｎ系酸化物、Ｉｎ−Ｈｆ−Ｚｎ系酸化物、Ｉｎ
−Ｌａ−Ｚｎ系酸化物、Ｉｎ−Ｃｅ−Ｚｎ系酸化物、Ｉｎ−Ｐｒ−Ｚｎ系酸化物、Ｉｎ−
Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇ
ｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ
−Ｚｎ系酸化物、Ｉｎ−Ｅｒ−Ｚｎ系酸化物、Ｉｎ−Ｔｍ−Ｚｎ系酸化物、Ｉｎ−Ｙｂ−
Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈ
ｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系
酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇ
ａ系酸化物を用いることができる。
【０２１３】
なお、ここで、Ｉｎ−Ｇａ−Ｚｎ系酸化物とは、ＩｎとＧａとＺｎを主成分として有する
酸化物という意味であり、ＩｎとＧａとＺｎの比率は問わない。また、ＩｎとＧａとＺｎ
以外の金属元素が入っていてもよい。
【０２１４】
例えば、レーザーアニールなどの処理により結晶化させた多結晶シリコンを含む半導体層
を、図６（Ｂ）に図示するトランジスタ４０２ｔおよびトランジスタ４０３ｔに適用する
ことができる。
【０２１５】
トップゲート型のトランジスタを表示部４０１に適用する場合の構成を、図６（Ｃ）に図
示する。
【０２１６】
例えば、多結晶シリコンまたは単結晶シリコン基板等から転置された単結晶シリコン膜等
を含む半導体層を、図６（Ｃ）に図示するトランジスタ４０２ｔおよびトランジスタ４０
３ｔに適用することができる。
【０２１７】
なお、本実施の形態は、本明細書で示す他の実施の形態と適宜組み合わせることができる
。
【０２１８】
（実施の形態５）
本実施の形態では、本発明の一態様の表示装置に適用可能な折り曲げ可能なタッチパネル
の構成について、図７を参照しながら説明する。
【０２１９】
図７は、タッチパネル４００Ｂの構成を説明する断面図である。
【０２２０】
本実施の形態で説明するタッチパネル４００Ｂは、供給された画像情報をトランジスタが
設けられている側に表示する表示部４０１を備える点およびタッチセンサが表示部の基板
４１０側に設けられている点が、実施の形態４で説明するタッチパネル４００とは異なる
。ここでは異なる構成について詳細に説明し、同様の構成を用いることができる部分は、
上記の説明を援用する。
【０２２１】
＜表示部＞
表示部４０１は、マトリクス状に配置された複数の画素を備える。画素は表示素子と表示
素子を駆動する画素回路を備える。
【０２２２】
《画素の構成》
画素は、副画素４０２Ｒを含み、副画素４０２Ｒは発光モジュール４８０Ｒを備える。
【０２２３】
副画素４０２Ｒは、第１の発光素子４５０Ｒおよび第１の発光素子４５０Ｒに電力を供給
することができるトランジスタ４０２ｔを含む画素回路を備える。
【０２２４】
発光モジュール４８０Ｒは第１の発光素子４５０Ｒおよび光学素子（例えば第１の着色層
４６７Ｒ）を備える。
【０２２５】
第１の発光素子４５０Ｒは、下部電極、上部電極、下部電極と上部電極の間に発光性の有
機化合物を含む層を有する。
【０２２６】
発光モジュール４８０Ｒは、光を取り出す方向に第１の着色層４６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０２２７】
第１の着色層４６７Ｒは第１の発光素子４５０Ｒと重なる位置にある。また、図７（Ａ）
に示す第１の発光素子４５０Ｒは、トランジスタ４０２ｔが設けられている側に光を射出
する。これにより、第１の発光素子４５０Ｒが発する光の一部は第１の着色層４６７Ｒを
透過して、図中に示す矢印の方向の発光モジュール４８０Ｒの外部に射出される。
【０２２８】
《表示部の構成》
表示部４０１は、光を射出する方向に遮光層４６７ＢＭを有する。遮光層４６７ＢＭは、
着色層（例えば第１の着色層４６７Ｒ）を囲むように設けられている。
【０２２９】
表示部４０１は、絶縁膜４２１を備える。絶縁膜４２１はトランジスタ４０２ｔを覆って
いる。なお、絶縁膜４２１は画素回路に起因する凹凸を平坦化するための層として用いる
ことができる。また、不純物の拡散を抑制できる層を含む積層膜を、絶縁膜４２１に適用
することができる。これにより、例えば第１の着色層４６７Ｒから拡散する予期せぬ不純
物によるトランジスタ４０２ｔ等の信頼性の低下を抑制できる。
【０２３０】
＜タッチセンサ＞
タッチセンサ４９５は、表示部４０１の基板４１０側に設けられている（図７（Ａ）参照
）。
【０２３１】
樹脂層４９７は、基板４１０と基板４９０の間にあり、表示部４０１とタッチセンサ４９
５を貼り合わせる。
【０２３２】
＜表示部の変形例１＞
様々なトランジスタを表示部４０１に適用できる。
【０２３３】
ボトムゲート型のトランジスタを表示部４０１に適用する場合の構成を、図７（Ａ）およ
び図７（Ｂ）に図示する。
【０２３４】
例えば、酸化物半導体、アモルファスシリコン等を含む半導体層を、図７（Ａ）に図示す
るトランジスタ４０２ｔおよびトランジスタ４０３ｔに適用することができる。また、一
対のゲート電極をトランジスタのチャネルが形成される領域を上下に挟むように設けても
よい。これにより、トランジスタの特性の変動を抑制し、信頼性を高めることができる。
【０２３５】
例えば、多結晶シリコン等を含む半導体層を、図７（Ｂ）に図示するトランジスタ４０２
ｔおよびトランジスタ４０３ｔに適用することができる。
【０２３６】
トップゲート型のトランジスタを表示部４０１に適用する場合の構成を、図７（Ｃ）に図
示する。
【０２３７】
例えば、多結晶シリコンまたは転写された単結晶シリコン膜等を含む半導体層を、図７（
Ｃ）に図示するトランジスタ４０２ｔおよびトランジスタ４０３ｔに適用することができ
る。
【０２３８】
なお、本実施の形態は、本明細書で示す他の実施の形態と適宜組み合わせることができる
。
【符号の説明】
【０２３９】
２００    表示パネル
２００Ｌ    端
２００Ｒ    端
２０１    表示領域
２０２    画素
２０２Ｂ    副画素
２０２Ｇ    副画素
２０２Ｒ    副画素
２０２ｔ    トランジスタ
２０３ｃ    容量
２０３ｇ    走査線駆動回路
２０３ｓ    データ線駆動回路
２０３ｔ    トランジスタ
２１０    基板
２１０ａ    バリア膜
２１０ｂ    基板
２１０ｃ    接着層
２１１    配線
２１９    端子
２２１    絶縁膜
２２８    隔壁
２２９  スペーサ
２５０Ｒ    発光素子
２５１Ｒ    下部電極
２５２    上部電極
２５３    層
２５３ａ    発光ユニット
２５３ｂ    発光ユニット
２５４    中間層
２６０    封止材
２６７ＢＭ    遮光層
２６７ｐ    反射防止層
２６７Ｒ    着色層
２７０    対向基板
２７０ａ    バリア膜
２７０ｂ    基板
２７０ｃ    接着層
２８０Ｂ    発光モジュール
２８０Ｇ    発光モジュール
２８０Ｒ    発光モジュール
３００    タッチパネル
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    樹脂層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基材
３７０ｃ    樹脂層
３８０Ｂ    発光モジュール
３８０Ｇ    発光モジュール
３８０Ｒ    発光モジュール
４００    タッチパネル
４００Ｂ    タッチパネル
４０１    表示部
４０２Ｒ    副画素
４０２ｔ    トランジスタ
４０３ｃ    容量
４０３ｇ    走査線駆動回路
４０３ｔ    トランジスタ
４０９    ＦＰＣ
４１０    基板
４１０ａ    バリア膜
４１０ｂ    基板
４１０ｃ    樹脂層
４１１    配線
４１９    端子
４２１    絶縁膜
４２８    隔壁
４５０Ｒ    発光素子
４６０    封止材
４６７ＢＭ    遮光層
４６７ｐ    反射防止層
４６７Ｒ    着色層
４７０    基板
４７０ａ    バリア膜
４７０ｂ    基板
４７０ｃ    樹脂層
４８０Ｒ    発光モジュール
４９０    基板
４９１    電極
４９２    電極
４９３    絶縁層
４９４    配線
４９５    タッチセンサ
４９７    樹脂層
４９８    配線
４９９    接続層
５００    表示装置
５１０Ｌ    筐体
５１０Ｌ（ａ）    側面
５１０Ｌ（ｂ）    側面
５１０Ｒ    筐体
５１５Ｌ    開口部
５１５Ｒ    開口部
５１６Ｌ    ガイド
５２０Ｌ    収納部
５２０Ｒ    収納部
５２１Ｌ    牽引機構
５２３Ｌ    スライド
５２５Ｌ    レール
５５０    機構
【図１】
2020008881.tif 000003
【図２】
2020008881.tif 000004
【図３】
2020008881.tif 000005
【図４】
2020008881.tif 000006
【図５】
2020008881.tif 000007
【図６】
2020008881.tif 000008
【図７】
2020008881.tif 000009